(57)【要約】【課題】  電源スイッチの操作状態を監視することで、電源投入時に行われる所定処理の実行頻度を低く抑えることができ、更に電源スイッチ４９の状態とシステムの動作状況を一致させることができる電源制御装置を得る。【解決手段】  電源制御装置５０は、複合処理装置１の電源をオフする操作を検知すると、電源オフ時の処理に必要な分だけ電源供給を維持し、電源供給停止時からは、複合処理装置１が動作不能となるリセット電圧に達する時点までの期間内で電源を再びオンする操作を検知した場合には、複合処理装置１の制御部４７にリセットして再起動させる指示を与え、特に電源をオフする操作を検知した時点から電源オフ時の処理に必要な分だけ電源供給を維持する期間が経過するまでの期間中に電源を再びオンする操作を検知した場合には複合処理装置１の制御部４７にクリーニング処理を省略して再起動させる指示を与える。【選択図】      図６
2005254621.tif 000002
【特許請求の範囲】
【請求項１】
装置電源のオン操作時やオフ操作時に所定の終了処理を行う電子装置に用いられる電源制御装置であって、
前記電子装置の電源をオン又はオフする操作を検知するオン・オフ操作検知手段と、
前記電子装置の電源をオフする操作が検知されると前記電子装置への電源供給を所定の時間継続して維持する電源維持手段と、
前記電子装置の電源をオフする操作が検知された時点から前記電源制御装置が動作不能となるリセット電圧に達する時点までの期間中に前記電子装置の電源をオンする操作が検知されると前記電子装置をリセットして再起動させる指示を与える起動時処理指示手段と、
を具備することを特徴とする電源制御装置。
【請求項２】
前記起動時処理指示手段は、前記電子装置の電源をオフする操作が検知された時点から前記電子装置への電源の供給が維持される所定の期間を経過するまでの間に前記電子装置の電源をオンする操作が検知されると前記電子装置に所定の開始処理を省略する指示を与えることを特徴とする請求項１に記載の電源制御装置。
【請求項３】
前記電子装置の電源をオン・オフ操作するスイッチ手段がスイッチング状態を示す照明手段を具備し、
前記照明手段は、前記電子装置が動作中の定常状態では点灯し、前記電子装置の電源をオフする操作が行われて前記電子装置への電源供給が所定の時間継続して維持される期間では点滅し、前記電子装置への電源の供給が所定の時間維持される期間を経過した時点から前記電子装置が動作不能となるリセット電圧に達する時点までの期間では前記点灯又は点滅と異なる表示を行うことを特徴とする請求項１又は請求項２のいずれかに記載の電源制御装置。
【請求項４】
前記電子装置は、装置電源のオン操作時にプリンタ部のクリーニングを行う印刷装置を含み、前記起動時処理指示手段は、前記印刷装置の電源をオフする操作が検知された時点から前記印刷装置への電源の供給が維持される所定の期間を経過するまでの間に前記印刷装置の電源をオンする操作が検知されると前記印刷装置にクリーニング処理を省略する指示を与えることを特徴とする請求項１から請求項３のいずれか１項に記載の電源制御装置。
【請求項５】
前記電子装置の電源をオフする操作が検知された時点から前記電子装置への電源の供給が維持される所定の時間を計測する計測手段と、
前記計測手段による計測時間を超えても前記電子装置の所定の終了処理が終了しない場合、前記電源維持手段による電源の供給を停止させる電源供給停止手段と、
を具備することを特徴とする請求項２から請求項４のいずれか１項に記載の電源制御装置。
【請求項６】
装置電源のオン操作時やオフ操作時に所定の終了処理を行う電子装置の電源制御方法であって、
前記装置電源をオン又はオフする操作を検知するオン・オフ操作検知工程と、
前記装置電源をオフする操作が検知されると前記電子装置への電源供給を所定の時間継続して維持する電源維持工程と、
前記装置電源をオフする操作が検知された時点から前記電子装置が動作不能となるリセット電圧に達する時点までの期間中に前記装置電源をオンする操作が検知されると前記電子装置をリセットして再起動させる指示を与える起動時処理指示出力工程と、
を具備することを特徴とする電源制御方法。
【請求項７】
装置電源のオン操作時やオフ操作時に所定の終了処理を行う電子装置の電源制御プログラムであって、
前記装置電源をオン又はオフする操作を検知するオン・オフ操作検知手順と、
前記装置電源をオフする操作が検知されると前記電子装置への電源供給を所定の時間継続して維持する電源維持手順と、
前記装置電源をオフする操作が検知された時点から前記電子装置が動作不能となるリセット電圧に達する時点までの期間中に前記装置電源をオンする操作が検知されると前記電子装置をリセットして再起動させる指示を与える起動時処理指示出力手順と、
を有し、コンピュータに前記各手順を実行させることを特徴とする電源制御プログラム。
【発明の詳細な説明】
【技術分野】
【０００１】
本発明は、装置電源のオン操作時やオフ操作時に所定の処理を行う電子装置に用いて好適な電子制御装置及び電源制御方法に関する。
【背景技術】
【０００２】
従来、装置電源のオン操作時やオフ操作時に所定の処理を行う電子装置が提案されている（例えば、特許文献１、特許文献２参照）。
【０００３】
特許文献１は、記録ヘッドの温度を適切に制御する機能を持つインクジェット印刷装置について開示されたものであり、このインクジェット印刷装置は、装置電源のオフ操作時に、装置の制御回路への電力供給を維持して、電源オフ操作時から記録ヘッド温度が平衡状態に至るまでの時間を環境温度等に基づいて算出し、算出した時間が経過するまでの間、記録ヘッドの温度管理を行い、当該時間が経過した時点で装置の制御回路への電力供給を停止し、当該時間を経過する以前に電源をオンとする操作がなされた場合は装置の制御回路がその時点における記録ヘッドの温度に基づいて記録ヘッドの温度をインク吐出が適切になされる温度に制御するものである。
【０００４】
特許文献２は、記録ヘッドのクリーニング処理を行う機能を持つインクジェット印刷装置について開示されたものであり、このインクジェット印刷装置は、記録ヘッドのクリーニング処理中に停電等で装置電源が遮断された場合に、そのときのクリーニング動作状況を記憶し、その後、装置電源の遮断が回復し、装置電源をオンする操作が行われると、クリーニング処理の有無を示すフラグを参照し、電源遮断直前にクリーニング処理が行われていた場合は、そのときのクリーニング処理の種類に対応する初期化処理を行う。例えば、電源遮断直前でワイピング処理が行われていた場合はワイピング時初期化処理を行い、吸引処理が行われていた場合は吸引時初期化処理を行い、ラビング処理が行われていた場合はラビング処理を行う。
【０００５】
【特許文献１】特開平９−１１４５２号公報（第７頁、第６図）
【特許文献２】特開２０００−１６８０９６号公報（第９頁、第１０頁、第１１図、第１２図）
【発明の開示】
【発明が解決しようとする課題】
【０００６】
しかしながら、従来の電源制御方法においては、電源オフ操作直前の装置状況を次回動作時に引き継ぐための各種データを保存すること、あるいは記録ヘッドの温度が平衡状態になるまでの時間を計算することを目的に、電源オフ操作時から所定時間電源供給を維持するようにしているが、電源オン操作時に実行される所定処理の頻度を少なくして早期に使用できる割合を高めるという目的でなされたものではない。
【０００７】
電源オン操作時に必ず所定処理を実行する電子装置では、電源オフ操作した後、直ぐに電源オン操作しても当該処理が必ず実行されるので、所定処理の実行頻度を少なくして早期に使用できる割合を高めることが困難である。そこで、オフ操作時から電源供給を維持している間、オン操作の有無を監視するようにすれば、その間にオン操作されても起動時の所定処理を省くことが可能となる。従来の電源制御方法では電源供給を維持している間に電源オン操作の有無を監視することは行っていない。
【０００８】
例えば、インクジェット方式の印刷装置には、電源オン操作されたときに記録ヘッドをクリーニングする機能を持ったものがあり、この種の印刷装置では、電源のオン操作とオフ操作を短時間に繰り返しても必ずオン操作時にはクリーニング処理が実行される。インクジェット方式の印刷装置のクリーニング処理は、記録ヘッド等からインクを吸引して廃棄する（即ち消費する）ので、電源のオン操作とオフ操作を短時間に繰り返すことでインクを多く消費することになる。
【０００９】
そこで、電源オフ操作しても直ぐには電源がオフにならないようにし、しかもその期間、電源のオン操作の有無を監視して電源のオン操作を検知した場合にクリーニング処理を省いて起動するようにすれば、無駄なクリーニング処理を省くことが可能となる。このことはインクジェット方式の印刷装置に限らず、電源オン操作されたときに所定の処理を行う全ての電子装置でも同様に当該処理の実行頻度を低く抑えることが可能となる。なお、電源オン操作されたときに必ず所定の処理を行わなければならないような電子装置についてはこの限りではない。
【００１０】
ところで、電源オフ操作時から所定時間経過した後に電源が切れるようにした電子装置においては、一旦電源を終了する処理に入ってしまうと、リセット電圧以下になる前に電源オン操作しても、システムに起動がかからず、電源スイッチがオン状態であるにも拘わらずシステムがオフ状態になってしまうことがある。このことは、シーソースイッチや、押し込むことでオン状態となり、再度押し込むことで元の位置に戻ってオフ状態となるプッシュスイッチのように、電源が入っているか否かが外観で分かるようなスイッチを使用している場合に特に不自然に感じられ、使い難いという問題がある。
【００１１】
なお、外観では電源のオン、オフが分からない電源スイッチを使用している場合は、その電源スイッチの状態とシステムの動作状況とが一致しないということはないが、電源がオン状態であることをユーザに知らせる構成を別途用意する必要があり、その分、コストが高くつくという問題がある。
【００１２】
本発明は係る事情に鑑みてなされたものであり、電源オフ操作しても直ぐには電源がオフにならないようにし、しかもその時間をできるだけ長くして電源オン操作の有無を監視することで、電源投入時に行われる所定処理の実行頻度を低く抑えることができ、さらに電源スイッチの状態とシステムの動作状況を一致させることができる電源制御装置及び電源制御方法を提供することを目的とする。
【課題を解決するための手段】
【００１３】
上記目的は下記構成又は方法により達成される。
（１）  装置電源のオン操作時やオフ操作時に所定の終了処理を行う電子装置に用いられる電源制御装置であって、前記電子装置の電源をオン又はオフする操作を検知するオン・オフ操作検知手段と、前記電子装置の電源をオフする操作が検知されると前記電子装置への電源供給を所定の時間継続して維持する電源維持手段と、前記電子装置の電源をオフする操作が検知された時点から前記電源制御装置が動作不能となるリセット電圧に達する時点までの期間中に前記電子装置の電源をオンする操作が検知されると前記電子装置をリセットして再起動させる指示を与える起動時処理指示手段と、を具備することを特徴とする。
【００１４】
（２）  上記（１）に記載の電源制御装置において、前記起動時処理指示手段は、前記電子装置の電源をオフする操作が検知された時点から前記電子装置への電源の供給が維持される所定の期間を経過するまでの間に前記電子装置の電源をオンする操作が検知されると前記電子装置に所定の開始処理を省略する指示を与えることを特徴とする。
【００１５】
（３）  上記（１）又は（２）のいずれかに記載の電源制御装置において、前記電子装置の電源をオン・オフ操作するスイッチ手段がスイッチング状態を示す照明手段を具備し、前記照明手段は、前記電子装置が動作中の定常状態では点灯し、前記電子装置の電源をオフする操作が行われて前記電子装置への電源供給が所定の時間継続して維持される期間では点滅し、前記電子装置への電源の供給が所定の時間維持される期間を経過した時点から前記電子装置が動作不能となるリセット電圧に達する時点までの期間では前記点灯又は点滅と異なる表示を行うことを特徴とする。
【００１６】
（４）  上記（１）から（３）のいずれかに記載の電源制御装置において、前記電子装置は、装置電源のオン操作時にプリンタ部のクリーニングを行う印刷装置を含み、前記起動時処理指示手段は、前記印刷装置の電源をオフする操作が検知された時点から前記印刷装置への電源の供給が維持される所定の期間を経過するまでの間に前記印刷装置の電源をオンする操作が検知されると前記印刷装置にクリーニング処理を省略する指示を与えることを特徴とする。
【００１７】
（５）  上記（２）から（４）のいずれかに記載の電源制御装置において、前記電子装置の電源をオフする操作が検知された時点から前記電子装置への電源の供給が維持される所定の時間を計測する計測手段と、前記計測手段による計測時間を超えても前記電子装置の所定の終了処理が終了しない場合、前記電源維持手段による電源の供給を停止させる電源供給停止手段と、を具備することを特徴とする。
【００１８】
（６）  装置電源のオン操作時やオフ操作時に所定の終了処理を行う電子装置の電源制御方法であって、前記装置電源をオン又はオフする操作を検知するオン・オフ操作検知工程と、前記装置電源をオフする操作が検知されると前記電子装置への電源供給を所定の時間継続して維持する電源維持工程と、前記装置電源をオフする操作が検知された時点から前記電子装置が動作不能となるリセット電圧に達する時点までの期間中に前記装置電源をオンする操作が検知されると前記電子装置をリセットして再起動させる指示を与える起動時処理指示出力工程と、を具備することを特徴とする。
【００１９】
（７）  装置電源のオン操作時やオフ操作時に所定の終了処理を行う電子装置の電源制御プログラムであって、前記装置電源をオン又はオフする操作を検知するオン・オフ操作検知手順と、前記装置電源をオフする操作が検知されると前記電子装置への電源供給を所定の時間継続して維持する電源維持手順と、前記装置電源をオフする操作が検知された時点から前記電子装置が動作不能となるリセット電圧に達する時点までの期間中に前記装置電源をオンする操作が検知されると前記電子装置をリセットして再起動させる指示を与える起動時処理指示出力手順と、を有し、コンピュータに前記各手順を実行させることを特徴とする。
【発明を実施するための最良の形態】
【００２０】
以下、本発明を実施するための好適な実施の形態について、図面を参照して詳細に説明する。
【００２１】
図１は、本発明の一実施の形態に係る電源制御装置を備えた電子装置の一つである複合処理装置の概観を示す斜視図であり、図２は、この複合処理装置における用紙搬送路を示す模式図であり、図３は、複合処理装置の内部構造を示す上面から見た模式図であり、図４及び図５は、筐体を取り除いた複合処理装置の斜視図である。
【００２２】
（複合処理装置の構造）
本実施の形態の複合処理装置１は、図１に示すように、給紙部３に装填される第１の読み取り媒体である小切手Ｓを筐体１ａに形成された用紙搬送路Ｐ１に沿って搬送し、またカード挿入口２０から挿入される第２の読み取り媒体であるカードＣを同じく筐体１ａに形成された用紙搬送路Ｐ２に沿って搬送可能に構成されている。具体的に、複合処理装置１は、用紙搬送路Ｐ１に沿って小切手Ｓを搬送しながら、小切手Ｓ上の画像及び小切手Ｓに印字された磁気文字を読み取り、かつ小切手Ｓ上への印字を行うとともに、用紙搬送路Ｐ２に沿ってカードＣを搬送しながら、カードＣ上の画像を読み取ることが可能な画像読取装置兼磁気文字読み取り装置兼印字装置である。
【００２３】
まず、複合処理装置１の具体的な構造について説明する。
図２に示すように、第１用紙搬送路Ｐ１は、略Ｕ字型形状を有しており、また第２用紙搬送路Ｐ２は、カードＣを搬送する直線形状をなしている。第１用紙搬送路Ｐ１と第２用紙搬送路Ｐ２は、Ｕ形状の底の部分に相当する部位で共通となっており、以下の説明では、この部位を中間搬送路Ｍと呼ぶこととする。この中間搬送路Ｍには、各種読取装置が設けられている。各種読取装置の詳細については後述する。
【００２４】
第１用紙搬送路Ｐ１は、図２に示すように、外側ガイド２ａと内側ガイド２ｂとによって画成され、外側ガイド２ａと内側ガイド２ｂとの間の空間である搬送部２ｃ内を小切手Ｓが搬送されるように構成されている。小切手Ｓは、図３の矢印Ａの方向から給紙部３を介して第１用紙搬送路Ｐ１に挿入される。給紙部３は、複数枚の小切手Ｓを連続的に装填可能に構成されており、小切手Ｓを一枚ずつ第１用紙搬送路Ｐ１内に送り出すことが可能である。
【００２５】
第１用紙搬送路Ｐ１には、小切手Ｓの搬送を行うための搬送機構として、中間搬送路Ｍの上流側に位置する第１搬送ローラ６、中間搬送路Ｍ中に位置する中間搬送ローラ１６、中間搬送路Ｍの下流側に位置する第２搬送ローラ７が夫々設けられている。第１搬送ローラ６は、駆動ローラ６ａと、この駆動ローラ６ａに対向配置されて従動する押し付けローラ６ｂとを備える。また、第２搬送ローラ７は、駆動ローラ７ａと、この駆動ローラ７ａに対向配置されて従動する押し付けローラ７ｂとを備える。
【００２６】
また、中間搬送ローラ１６は、図３に示すように、第１用紙搬送路Ｐ１に対し直交する同軸上に２個配置された上部押えローラ１６ａ及び下部押えローラ１６ｂと、これらの上部押えローラ１６ａ及び下部押えローラ１６ｂと対向配置された１個の駆動ローラ１７とを備える。
【００２７】
第１用紙搬送路Ｐ１内に送り出された小切手Ｓは、図３に示すように、第１搬送ローラ６、中間搬送ローラ１６、ならびに第２搬送ローラ７によって中間搬送路Ｍ内を搬送され、排出ローラ８を介して矢印Ｂの方向へ排出口４から排出される。また、本実施形態では、図４に示すように、第１用紙搬送路Ｐ１の底部位置は処理装置内の基底部から高さＨ１に保たれており、小切手Ｓは中間搬送路Ｍを含む第１用紙搬送路Ｐ１の底部に沿って高さＨ１を基準とした状態で搬送される。
【００２８】
ここで、中間搬送ローラ１６に関しては、小切手Ｓの幅（高さ）が所定長さより短ければ、下部押えローラ１６ｂと駆動ローラ１７が小切手Ｓの搬送に寄与し、一方小切手Ｓの幅が所定長さ以上であれば上部押えローラ１６ａ及び下部押えローラ１６ｂの双方と駆動ローラ１７によって小切手Ｓは搬送される。
【００２９】
一方、第２用紙搬送路Ｐ２は、図２及び図３に示すように、中間搬送路Ｍと、その両端に連通するカード挿入口２０及びカード逆転路２１とから構成されている。
【００３０】
カード挿入口２０は、カードＣを中間搬送路Ｍに挿入するための挿入口である。カード挿入口２０の下方には、図３及び図４に示すように、下部ガイド２４及び２４ａが設けられている。この下部ガイド２４及び２４ａは、外側ガイド２ａの一部を構成するとともに、カードＣの下端部の高さをＨ２に保ち、カードＣは、この下部ガイド２４に案内されて、中間搬送路Ｍに挿入され、高さＨ２を基準とした状態で搬送される。すなわち、第２用紙搬送路Ｐ２の下部位置は、この下部ガイド２４及び２４ａを基準として処理装置内の基底部から高さＨ２に保たれている。なお、高さＨ１に保たれて第１用紙搬送路Ｐ１を搬送される小切手Ｓは、この下部ガイド２４ａにより進行方向が曲げられて、排出口４のほうに搬送される。
【００３１】
上部押えローラ１６ａは、第２用紙搬送路Ｐ２の高さＨ２よりも上方に取り付けられており、中間搬送路Ｍ内に搬送されたカードＣは、この上部押えローラ１６ａと駆動ローラ１７によって中間搬送路Ｍ内を搬送される。
【００３２】
カード逆転路２１は、図２において中間搬送路Ｍの左側延長線に沿って形成された直線ガイド２１ａ及び２１ｂによって形成されている。図３、図５に示すように、このカード逆転路２１の端部２１ｃ近傍には、正逆転搬送ローラ２２が設けられている。この正逆転搬送ローラ２２は、中間搬送路Ｍから搬送されたカードＣを所定長さだけカード逆転路２１の端部２１ｃから張り出させるように搬送し、そして端部２１ｃから張り出したカードＣを再度中間搬送路Ｍに戻すように搬送する。
【００３３】
具体的に、カードＣは、カード挿入口２０から中間搬送路Ｍ内に挿入されると、上部押えローラ１６ａと駆動ローラ１７によってカード逆転路２１まで搬送される。そして、カードＣは、このカード逆転路２１から正逆転搬送ローラ２２によって逆転搬送され、中間搬送路Ｍを通ってカード挿入口２０から排出される。このとき、カードＣは、第２用紙搬送路Ｐ２内を下端部が高さＨ２に保たれた状態で搬送される。本実施形態では、第２用紙搬送路Ｐ２の高さＨ２は、第１用紙搬送路Ｐ１の高さＨ１よりも高い位置に配置されている。まとめると、カードＣは、中間搬送路Ｍ内を小切手Ｓよりも上方を通って搬送される。
【００３４】
このように複合処理装置１では、小切手ＳとカードＣの搬送高さを変えることによって、特別な切り替え装置等を設けずに、Ｕ字型の第１用紙搬送路と直線状の第２用紙搬送路に異なる種類の読み込み媒体を搬送することができる。小切手Ｓ及びカードＣの搬送についての説明は、以上である。
【００３５】
中間搬送路Ｍには、画像読み取りを行う第１の画像読み取りセンサ１１及び第２の画像読み取りセンサ１２が設置されている。第１の画像読み取りセンサ１１及び第２の画像読み取りセンサ１２は、それぞれＣＩＳ(Contact Image Sensor)タイプの画像読み取りセンサであり、中間搬送路Ｍを搬送される小切手ＳまたはカードＣの一面に光を照射し、小切手ＳまたはカードＣ上で反射した光を受光する。第１の画像読み取りセンサ１１及び第２の画像読み取りセンサ１２は、中間搬送路Ｍ内を搬送される小切手ＳまたはカードＣ上の画像を１ラインずつ読み取ることにより、小切手ＳまたはカードＣの二次元画像を取得する。
【００３６】
第１用紙搬送路Ｐ１には、小切手Ｓの後端を検出するＢＯＦ（Bottom Of Form）検出器９と先端を検出するＴＯＦ(Top Of Form)検出器１０が設けられている。ＢＯＦ検出器９は、給紙部３と第１搬送ローラ６の間に設けられており、給紙部３から挿入された小切手Ｓを検出するととともに、小切手ＳがＢＯＦ検出器９を通過した時点を検出して、小切手Ｓの後端を検知する。ＴＯＦ検出器１０は、第１搬送ローラ６と第１の画像読み取りセンサ１１との間に設けられており、小切手Ｓの先端を検出するように構成されている。このように、ＢＯＦ検出器９、ＴＯＦ検出器１０により、小切手Ｓの先端・後端を検出することにより、小切手Ｓの長さを正確に測定することができる。
【００３７】
複合処理装置１は、このＢＯＦ検出器９とＴＯＦ検出器１０による小切手Ｓの検出長に応じて動作するように構成されている。即ち、画像読み取りセンサ１１、１２による小切手Ｓの読み取りの開始・停止は、ＢＯＦ検出器９、ＴＯＦ検出器１０の出力に基づいて制御される。なお、画像読み取りセンサ１１、１２のいずれか一方を、小切手Ｓの先端を検出する検出器として用いても良く、この場合、ＴＯＦ検出器１０を省略できる。
【００３８】
また、第２搬送ローラ７と排出ローラ８との間であって、第１用紙搬送路Ｐ１に沿った直線領域１８には、印刷ヘッドを備えたプリンタ部１４が配置されている。このプリンタ部１４は、小切手Ｓへの裏書を実行するためのものであり、必要に応じて小切手Ｓへの印字を行う。
【００３９】
また、第２用紙搬送路Ｐ２には、カードＣの後端を検出するＢＯＣ（Bottom Of Card）検出器２５と先端を検出とするＴＯＣ(Top Of Card)検出器２６が設けられている。ＢＯＣ検出器２５は、カード挿入口２０近傍に設けられており、ここから挿入されたカードＣを検出するととともに、カードＣがＢＯＣ検出器９を通過した時点を検出して、カードＣの後端を検知する。ＴＯＣ検出器２６は、中間搬送ローラ１６と第２の画像読み取りセンサ１２との間に設けられており、カードＣの先端を検出するように構成されている。このように、ＢＯＣ検出器２５、ＴＯＣ検出器２６により、カードＣの先端・後端を検出することにより、カードＣの長さを正確に測定することができる。
【００４０】
複合処理装置１は、このＢＯＣ検出器２５とＴＯＣ検出器２６によるカードＣの検出長に応じて動作するように構成されている。即ち、画像読み取りセンサ１１又は１２によるカードＣの読み取りの開始・停止は、ＢＯＣ検出器２５、ＴＯＣ検出器２６の出力に基づいて制御される。なお、画像読み取りセンサ１１及び１２のいずれか一方を、カードＣの先端を検出する検出器として用いても良く、この場合、ＴＯＣ検出器２６を省略できる。
【００４１】
駆動ローラ１７の下方位置には、図３に示すようにＭＩＣＲ（Magnetic Ink Character Reader）１３が設置されている。ＭＩＣＲ１３は、小切手Ｓ上に磁気インクで記載された情報を読み込むためのセンサである。このＭＩＣＲ１３は、中間搬送路Ｍを介してＭＩＣＲ１３に対向配置された押付レバー３０によって小切手ＳがＭＩＣＲ１３の表面に押し付けられた状態で読み取りを実行する。
【００４２】
（複合処理装置１の電気的構成）
図６は、複合処理装置１の概略構成を示すブロック図である。
図６において、複合処理装置１は、小切手Ｓの搬送を行う小切手搬送部４１と、小切手Ｓの搬送中に小切手Ｓ上の画像を読み取る小切手画像読取部４２と、小切手Ｓに印字された磁気文字を読み取る小切手磁気文字読取部４３と、小切手Ｓ上へ印字を行うプリンタ部１４と、終了処理時に各種データ（ヘッドのキャップ、インクシステムのデータ等）を保存するシステム制御データ保持部４４と、カードＣの搬送を行うカード搬送部４５と、カードＣ上の画像を読み取るカード画像読取部４６と、前記各部を制御する制御部（制御回路）４７と、商用電源から本装置で使用可能な電源を生成する電源部４８と、電源のオン、オフを行う電源スイッチ４９と、電源制御装置５０とを備えている。なお、上記の小切手画像読取部４２及びカード画像読取部４６は、共通の第１の画像読み取りセンサ１１及び第２の画像読み取りセンサ１２で構成される。プリンタ部１４はインクジェット方式の印刷装置である。ここで、プリンタ部１４の詳細について説明する。
【００４３】
（プリンタ部１４の詳細な構成）
図７は、プリンタ部１４の構成を示すブロック図である。
図７において、プリンタ部１４は、キャリッジモータ１００によって主走査方向（小切手Ｓの搬送方向と直交する方向）に往復運動するキャリッジ１０１を備えている。このキャリッジ１０１にはその下部に記録ヘッド１０２が配設され、またその上部には記録ヘッド１０２にインクを供給するためのインクカートリッジ１０３、１０４（ブラック用とカラー用の２種類）が着脱可能に取り付けられている。
【００４４】
キャリッジ１０１の移動方向の端部（ホームポジション）には、記録ヘッド１０２のノズル孔１０５を封止可能なキャップ１０６が配設されている。このキャップ１０６には、キャップ１０６によるノズル孔１０５の封止時に、その内部空間を負圧にするための吸引ポンプ１０７がポンプチューブ１０８を介して接続されている。吸引ポンプ１０７はモータ１０９により駆動され、吸引ポンプ１０７によって吸引されたインクが廃液トレイ１１０にそ装備された廃液吸収材１１１に吸収される。
【００４５】
通常、プリンタ部１４は、印刷品質の悪化を防止するために、クリーニング処理を実行する。このクリーニング処理は、ノズル孔１０５の封止時にキャップ１０６の内部空間を吸引ポンプ１０７によって負圧にすることで強制的にノズル孔１０５内に残留したインクの吸引排出を行うとともに、吸引排出後にワイピング部材（図示略）によってノズルプレート１０２ａをワイピングする処理のことである。このクリーニング処理によって、記録ヘッド１０２のノズル孔１０５の目詰まりや、ノズル孔１０５と連通されたインク流路への気泡混入が解消される。
【００４６】
クリーニング処理は、（１）電源投入ごと、（２）電源投入時において最後のクリーニング処理から所定の設定時間（例えば２〜３日）以上経過しているとき、（３）クリーニングスイッチ（図示略）が操作されたとき、（４）ホストコンピュータ（図示略）の表示画面上でクリーニング実行ボタンが選択されたときなどに実施されるが、本実施の形態では（１）の電源投入ごとに実行するものとする。
【００４７】
図６に戻り、電源制御装置５０は、電源スイッチ４９のオン操作及びオフ操作を検知するオン・オフ操作検知部５１と、電源オン状態、電源オフ状態、トリガ信号が与えられた場合に予め設定された時間（以下、所定時間と言う）だけ電源オン状態とする所定時間電源オン状態の３つの状態をとることができる電源維持部５２と、電源部４８から電源スイッチ４９を経由して得られる電源と電源維持部５２を経由して得られる電源を複合処理装置１の制御部４７へ出力するスイッチ部５３と、オン・オフ操作検知部５１から入力されるスイッチオン・オフ信号に基づいて電源維持部５２の制御を行うと共に、複合処理装置１の制御部４７に電源スイッチ４７のオン・オフ状態を通知する電源制御部５４とを備える。
【００４８】
電源制御部５４は、所謂マイコンと呼ばれるワンチップの半導体集積回路であり、この電源制御部５４には、制御プログラムを記憶しているＲＯＭ５５と、電源制御部５４の動作において使用されるＲＡＭ５６とが接続されている。
電源制御部５４は、電源維持部５２を通常は電源オン状態としておき、電源スイッチ４９のオフ操作がオン・オフ操作検知部５１で検知されると、電源維持部５２にトリガ信号を入力して所定時間電源オン状態に変更する。これにより、電源スイッチ４９がオフ操作された場合であっても、電源制御装置５０を含む複合処理装置１に所定時間継続して電源が供給される。また、所定時間が経過する前に再びトリガ信号を入力すれば、電源供給を所定時間延長することができる。これを電源オフ処理が終了するまで継続し、電源オフ処理が終了した時点で、電源維持部５２を電源オフ状態とすれば、その時点で電源供給が停止される。また、所定の時間以内に電源オフ処理が終了しなかった場合には、電源オフ処理の終了を待たずに電源オフ状態とすれば、電源オフ時の処理が終了しないことにより不安全な状態に陥ることを防止することができる。
【００４９】
電源制御部５４は、自装置（電源制御装置）５０を含む複合処理装置１への電源供給が停止された時点から、電源制御部５４および制御部４７が動作不能となるリセット電圧Ｖｒに達する時点までの期間中に電源スイッチ４９のオン操作が検知されると、複合処理装置１の制御部４７に対しリセットして再起動する指示を与える。なお、この場合、電源制御部５４は起動時処理指示手段として機能する。特に、複合処理装置１への電源の供給が維持される所定期間を経過するまでの間に電源スイッチ４９のオン操作が検知された場合には、クリーニング処理を省略して再起動する指示を与える。
【００５０】
図８は、電源スイッチ４９の操作に伴う装置の状態を示す遷移図である。
この図において、電源スイッチ４９がオン状態にあるとき（Ｓ１）に、電源スイッチ４９がオフ操作されると、終了処理状態（Ｓ２）となって、終了処理である例えばヘッドキャップ処理を行うために所定時間継続して電源が供給される。このヘッドキャップ処理を行うための所定期間内で電源スイッチ４９がオン操作されると、ヘッドキャップ処理が終了したところで、リセット状態（Ｓ３）に移行し、再起動して電源スイッチ４９のオン状態（Ｓ１）に戻る。一方、所定時間を経過するか、または電源維持部５２が電源供給停止スイッチ５７の操作によってオフに切り替わると、電源の供給が停止することになるので、電圧が降下する状態（Ｓ４）に移行する。電圧が降下を開始した後、リセット電圧Ｖｒに達するまでの期間に電源スイッチ４９がオン操作されると、リセット状態（Ｓ３）に移行する。このときは、複合処理装置１は、通常の電源オフ時に電源オンした場合と同様に、通常通りのクリーニング処理を伴う起動を実行し、電源スイッチ４９のオン状態（Ｓ１）に戻る。リセット電圧Ｖｒ以下になると、複合処理装置１はオフ状態（Ｓ５）となる。
【００５１】
（電源制御装置５０の動作）
図９は、電源制御装置５０の動作を説明するためのタイムチャートである。
電源スイッチ４９のオン操作に伴い電源が投入されている状態では、複合処理装置１と電源制御装置５０に動作電圧Ｖａが印加されている。このとき、電源維持部５２は、オン状態としておく。また、電源制御装置５０に動作電圧Ｖａが印加され、装置が動作している状態では、電源維持部５２に設けられた図示せぬ電源ＬＥＤ（発光ダイオード）を点灯している。
また、電源ＬＥＤは、電源制御装置５０に動作電圧Ｖａが印加のみで、点灯されるようにしても良い。その場合は、電源電圧の低下により、自然と消灯されることになる。
【００５２】
複合処理装置１と電源制御装置５０は、動作している状態で電源スイッチ４９がオフ操作されると（このときの時刻をｔ1とする）、この電源スイッチ４９を接続した電源ラインでのスイッチ部５３への入力「０」になる。ただし、電源維持部５２はオン状態であるため、スイッチ部５３の出力は１を維持する。すなわち、電源制御装置５０と複合処理装置１への電源供給は維持されている。
【００５３】
一方、電源スイッチ４９がオフ操作されると、その操作がオン・オフ操作検知部５１にて検知されてスイッチオフ信号が電源制御部５４に入力される。電源制御部５４は、スイッチオフ信号が入力されたことで、電源維持部５２をトリガ信号入力によるオン維持に切り換え、電源維持部５２にトリガ信号を入力し、電源維持部５２を動作させる。電源維持部５２は、トリガ信号の入力によって予め設定された時間（所定時間）だけ動作を行い、電源部４８からの電源をスイッチ部５３へ供給する。これにより、電源制御装置５０と複合処理装置１への電源供給が引き続いて所定時間維持される。すなわち、電源スイッチ４９がオフ操作されても直ぐには電源制御装置５０と複合処理装置１への電源供給が停止せず、所定時間経過した時点で停止する。所定時間経過する前に再びトリガ信号を入力すれば、所定時間の延長が可能である。電源維持部５２は、トリガ信号が入力されることにより、電源ＬＥＤの点灯を点滅状態に変更させる。
この間、オン・オフ操作検知部５１の出力から電源スイッチ４９の操作状況を監視する。その間に電源スイッチ４９のオン操作が検知されると、複合処理装置１の制御部４７に対しクリーニング処理を省いて再起動する指示を与えておく。
【００５４】
そして、所定時間経過するか、電源維持部５２をオフに切り替えると、電源維持部５２の出力が「０」となり、電源制御装置５０と複合処理装置１への電源供給が停止する。すなわち、複合処理装置１では、時刻ｔ2において初めて電源制御装置５０と複合処理装置１への電源供給が停止される。また、電源維持部５２は所定時間経過後、もしくは電源維持部５２をオフに切り替えた時刻ｔ2で電源ＬＥＤを点灯させる。そして、電源制御装置５０及び複合処理装置１に電源供給が行われなくなっても、これらの装置では、夫々の回路容量等により、動作電圧Ｖａが直ちにリセット電圧Ｖｒ以下にはならず徐々に低下して行くので、電源ＬＥＤは、電圧低下により、徐々に減光して行って消灯される。
【００５５】
これにより、電源制御部５４は、動作電圧Ｖａがリセット電圧Ｖｒに到達するまでの間では動作可能であり、その間、オン・オフ操作検知部５１の出力から電源スイッチ４９の操作状況を監視する。そして、その間に電源スイッチ４９のオン操作が検知されると、複合処理装置１の制御部４７にリセット信号Ｓｒを入力する。
【００５６】
ここで、例えば時刻ｔ4でリセット電圧Ｖｒに達するものとして、時刻ｔ4以前の時刻ｔ3で電源スイッチ４９がオン操作されると、図９に示すように時刻ｔ3でリセット信号Ｓｒが出力され、動作電圧Ｖａの値が徐々に増加して行く。一方、リセット電圧Ｖｒに達する時刻ｔ4より後の時刻ｔ5で電源スイッチ４９がオン操作された場合は、図に示すように動作電圧Ｖａの値が徐々に増加して行くが、時刻ｔ5では電源制御部５４は動作していないので、リセット信号Ｓｒは出力されない。複合処理装置１の制御部４７は、リセット電圧Ｖｒ以下になる以前の動作状態において、電源供給とともにリセット信号Ｓｒが入力されると、プリンタ部１４の起動が開始される。このとき、クリーニング処理を省いた起動が指示されていれば、クリーニング処理を省いた起動が開始される。なお、リセット電圧Ｖｒ以下になった時点で電源供給が行われた場合は、通常の電源オフ時に電源オンした場合と同じ動作となり、通常通りのクリーニング処理を伴う起動が実行される。
【００５７】
このように、本実施の形態の電源制御装置５０によれば、複合処理装置１の電源をオフする操作を検知すると、電源オフ時の終了処理に必要な期間だけ電源供給を維持し、電下供給停止時からは、複合処理装置１が動作不能となるリセット電圧Ｖｒに達する時点までの期間内で電源を再びオンする操作を検知した場合には、複合処理装置１の制御部４７にリセットして再起動する指示を与え、特に電源をオフする操作を検知した時点から電源オフ時の処理に必要な分だけ電源供給を維持する期間が経過するまでの期間中に電源を再びオンする操作を検知した場合には複合処理装置１の制御部４７にクリーニング処理を省略して再起動させる指示を与える。
【００５８】
したがって、電源をオフする操作が行われても、電源オフ時の終了処理に必要な分だけ電源の供給を維持し、しかも当該期間内で電源をオンする操作が行われると、複合処理装置１に通常電源オン時に実行するクリーニング処理を省略した起動を行わせる指示を与えるので、複合処理装置１を早期に使用可能状態に復帰させることができる。さらに、電源スイッチ４９の状態とシステムの動作状況が一致するので、シーソースイッチや、押し込むことでオン状態となり、再度押し込むことで元の位置に戻ってオフ状態となるプッシュスイッチのように、電源が入っているか否かが外観で分かるようなスイッチを使用しても、スイッチに付属した照明手段の表示を視認することによって装置の情況が把握されるので、不自然さを感じることがない。
而して、電源投入時に行われる所定処理の実行頻度が低く抑えられ、当該処理を実行しないときは短時間で起動し、電源スイッチ４９の状態とシステムの動作状況が一致するので、使い勝手の良い複合処理装置を実現することができる。
【００５９】
なお、上記実施の形態では、電子装置として、装置電源のオン操作時に記録ヘッド１０２のクリーニングを行うプリンタ部１４（インクジェット印刷装置）を有する複合処理装置１を例に挙げたが、この複合処理装置１に限定されるものではなく、電源投入時に所定の処理を行い、かつ当該処理を必ず行う必要のない電子装置であれば、どのようなものにでも適用することが可能であり、同様の作用効果が得られることは言うまでもない。
【００６０】
すなわち、その電子装置の電源をオフする操作が行われても、オフ時の処理に必要な分、電源の供給を維持し、当該期間内で電源をオンする操作が行われると、該電子装置に通常電源オン時に実行する所定の処理を省略した起動を行わせる指示を与える。したがって、該電子装置を早期に使用可能状態にすることができる。これにより、電源投入時に行われる所定処理の実行頻度が低く抑えられ、当該処理を実行しないときは短時間で駆動することから、使い勝手の良い電子装置を実現することができる。
【００６１】
上記した実施の形態では、電源スイッチ４９がオフ操作されてオン・オフ検知部５１からスイッチオフ信号が出力されることで、電源制御部５４が電源維持部５２にトリガ信号を入力して所定時間だけ電源の供給を維持し、その後、リセット電圧Ｖｒに達して電源制御部５４が動作不能になるまでの間、電源制御部５２は電源スイッチ４９のオン操作の有無を監視するようにしたが（すなわち、電源制御部５２が電源供給時間の管理までは行っていなかったが）、電源維持部５２を単なるオン・オフスイッチとして、電源制御部５４が電源供給を管理するようにしても良い。このようにすると、電源制御部５４にはタイマ機能を設ける必要がある。以下、このような機能を持つ電源制御部５４の動作についてフローチャートを参照して説明する。
【００６２】
図１０は、本発明の他の実施の形態に係る電源制御装置の動作を示すフローチャートである。なお、回路構成については電源維持部が単なるオン・オフ機能を持つものである以外は先の実施の形態と同様であるので、図６を援用することとする。但し、本実施の形態の電源制御装置に付す符号を５０Ａ、電源制御装置５０Ａを構成する電源維持部に付す符号を５２Ａ、電源制御部に付す符号を５４Ａとして、先の実施の形態の電源制御装置５０と区別することにする。
【００６３】
図１０において、まず電源維持部５２Ａはオン状態としておく。電源スイッチ４９がオフ操作されたかどうか判定し（ＳＴ１）、オフ操作されていない場合はこの処理を繰り返し、オフ操作された場合は、一定時間（電源供給維持時間）を計測するタイマをスタートさせる（ＳＴ２）。タイマスタート後、電源オフ時の処理を行う（ＳＴ３）。この電源オフ時の処理をこの所定時間内に行う。電源オフ時の処理は、タイマのタイムアウトを監視しながら行う。すなわち、電源オフ時の処理が終了したかどうか判定し（ＳＴ４）、終了した場合（ＳＴ４のＹｅｓの場合）は、電源維持部５２Ａをオフ状態にする（ＳＴ５）。
【００６４】
これに対して、電源オフ時の処理が終了していない場合（ＳＴ４のＮｏの場合）は、タイムアウトしたかどうかを判定し（ＳＴ６）、タイムアウトしていない場合（ＳＴ６のＮｏの場合）は、ＳＴ４に戻り、タイムアウトした場合（ＳＴ６のＹｅｓの場合）は、電源オフ時の処理を中断し（ＳＴ７）、電源維持部５２Ａをオフ状態にする（ＳＴ８）。このように、電源オフ時の処理が終了したら、電源維持部５２Ａをオフ状態とし、電源オフ時の処理中にタイムアウトが発生したら、電源オフ時の処理を中断して、電源維持部５２Ａをオフ状態にする。これにより、電源オフ時の処理が終了しないことにより不安全な状態に陥ることを防止する。
【００６５】
電源オフ時の処理を終了した後、電源スイッチ４９がオン操作されたかどうか判定し（ＳＴ９）、オン操作されていない場合（ＳＴ９のＮｏの場合）はこの処理を繰り返し、オン操作された場合（ＳＴ９のＹｅｓの場合）はリセット信号Ｓｒを出力する（ＳＴ１０）。リセット信号Ｓｒを出力した後、タイマをリセットする（ＳＴ１１）。なお、所定時間を経過した後、動作電圧Ｖａがリセット電圧Ｖｒに達する前までに電源スイッチ４９がオン操作されなければリセット信号Ｓｒは出力されず、またタイマのリセットは行われない。但し、動作電圧Ｖａがリセット電圧Ｖｒ以下になると、タイマは自然にリセットされるので、リセットする必要はない。なお、電源供給維持期間である所定時間中に電源をオンする操作が行われた場合、複合処理装置１及び電源制御装置５０Ａに継続して電源が供給されることになる。
【００６６】
このように、本実施の形態の電源制御装置５０Ａによれば、先の実施の形態の電源制御装置５０と同様に、電源投入時に行われる所定処理の実行頻度が低く抑えられ、当該処理を実行しないときは短時間で起動し、さらに電源スイッチ４９の状態とシステムの動作状況が一致するので、使い勝手の良い複合処理装置を実現することができる。
【産業上の利用可能性】
【００６７】
装置電源投入時にクリーニング処理を行うインクジェット方式の印刷装置など、装置電源のオン操作時やオフ操作時に所定の処理を行う電子装置への適用が可能である。
【図面の簡単な説明】
【００６８】
【図１】一実施の形態に係る電源制御装置を用いた複合処理装置の斜視図。
【図２】図１の複合処理装置における用紙搬送路を示す模式図。
【図３】図１の複合処理装置の内部構造を示す模式図。
【図４】図１の複合処理装置の内部の一部分を示す斜視図。
【図５】図１の複合処理装置の内部の一部分を示す斜視図。
【図６】図１の複合処理装置の概略構成を示すブロック図。
【図７】図１の複合処理装置のプリンタ部の構成を示す図。
【図８】図１の複合処理装置の動作を説明するための遷移図。
【図９】図１の複合処理装置の動作を説明するための波形図。
【図１０】他の実施の形態に係る複合処理装置の動作フロー図。
【符号の説明】
【００６９】
１４  プリンタ部、４４  システム制御データ保持部、４７  制御部、４８  電源部、４９  電源スイッチ、５０  電源制御装置、５１  オン・オフ操作検知部、５２  電源維持部、５３  スイッチ部、５４  電源制御部、５５  ＲＯＭ、５６  ＲＡＭ、５７  システム制御データ保持部、１０２  記録ヘッド
【図１】
2005254621.tif 000003
【図２】
2005254621.tif 000004
【図３】
2005254621.tif 000005
【図４】
2005254621.tif 000006
【図５】
2005254621.tif 000007
【図６】
2005254621.tif 000008
【図７】
2005254621.tif 000009
【図８】
2005254621.tif 000010
【図９】
2005254621.tif 000011
【図１０】
2005254621.tif 000012